(57)【特許請求の範囲】
【請求項１】
工業級過酸化水素水を、０．１〜０．１５ＭＰａの圧力下、キレート化吸着剤を備えたＳＢＡ−１５分子篩でろ過してから、限外ろ過膜でろ過して超高純度過酸化水素水を得る手順を含んで行い、
前記キレート化吸着剤は、分子内に水酸基又はカルボキシル基を有する
ことを特徴とする超高純度過酸化水素水の生産方法。
【請求項２】
前記限外ろ過膜の孔径が、０．５μｍ以下であることを特徴とする請求項１に記載の超高純度過酸化水素水の生産方法。
【請求項３】
前記キレート化吸着剤が、８−ヒドロキシキノリン、シクロペンタンカルボン酸、１，１−ジメチルプロピオン酸のうちの一種又は二種以上の混合であることを特徴とする請求項１に記載の超高純度過酸化水素水の生産方法。
【請求項４】
前記キレート化吸着剤と前記ＳＢＡ−１５分子篩との比が２：１であることを特徴とする請求項１に記載の超高純度過酸化水素水の生産方法。
【請求項５】
ＳＢＡ−１５分子篩をキレート化吸着剤の溶液に浸してからろ過し、次に超高純度水に浸して洗浄し、それから１００℃の下で２４時間乾燥することを特徴とする請求項１に記載のキレート化吸着剤を備えた分子篩の製作方法。
【請求項６】
前記キレート化吸着剤の溶液が、前記キレート化吸着剤のアルコール溶液であることを特徴とする請求項５に記載の分子篩の製作方法。
【請求項７】
前記アルコール溶液の濃度が、１０〜５０％であることを特徴とする請求項６に記載の分子篩の製作方法。
【請求項８】
前記ＳＢＡ−１５分子篩が、２４〜４８時間、前記アルコール溶液中に浸されることを特徴とする請求項７に記載の分子篩の製作方法。
【発明の詳細な説明】
【技術分野】
【０００１】
本発明は、電子グレード（electronic grade；以下、「電子級」という。）の化学試薬の生産方法に係り、特に超清浄かつ高純度（以下、「超高純度」という。）電子級過酸化水素水の生産方法およびこれに用いる分子篩の製作方法に関する。
【背景技術】
【０００２】
電子級の過酸化水素水は、洗浄剤だけでなく、電子工業シリコンチップの洗浄剤、プリント配線のエッチング剤としても良く、また、超高純度試薬、例えば超高純度珪酸の製作原料としても良く、電子工業での不可欠な電子化学製品である。電子工業の急速な発展に連れて、電子級過酸化水素水の生産も急速な発展を遂げ、これと同時に、集積回路の寸法微小化と処理の高速度方向への発展に繋がり、電子級過酸化水素水の品質に対する要求が厳しくなった。現在、超高純度電子級過酸化水素水の生産方法には、精留法、樹脂吸着法、膜分離法及び超臨界抽出法などがある。
【０００３】
精留法は、無機不純物を除去する一番理想的な方法の一つであり、生産量が大きく、長い周期で生産できる。例えば、特許文献１で公開された過酸化水素水生産方法と特許文献２で公開された過酸化水素水生産方法はいずれも、多段式加熱蒸発を通じて気体・液体分離を行う。特許文献３に、一種の超高純度過酸化水素水の生産プロセスが公開されている。これによれば、過酸化水素水は、蒸留を通じて有機炭素不純物と無機不純物を除去してから、減圧精留で過酸化水素水を生産している。特許文献４で公開された過酸化水素水生産プロセスでは、精留と洗浄とを組み合わせた方式を採用している。但し、精留法はエネルギー消耗量が高すぎ、また精留塔は裏層のフッ素樹脂用量が大きくて、コストが高い。
【０００４】
超高純度電子級過酸化水素水の生産に使用される樹脂吸着法は、主に強酸性陽イオン交換樹脂、強アルカリ性陰イオン交換樹脂、親水性多孔樹脂等に係り、当該方法の不純物除去率が高く、多種純度級別の製品を取得できて、それに設備敷地面積が少なく、組合せ方式が柔軟である。例えば、特許文献５で公開された酢酸イオンが存在する条件の下で行うイオン交換による過酸化水素水の生産方法は、少なくとも一つの陽イオン交換担体と少なくとも化学式Ｒ−ＣＯＯ-で表されるカルボン酸イオン（例えば、酢酸イオン）を含む一つの陰イオン交換樹脂のあるイオン交換担体を採用して吸着を行う。特許文献６で公開された過酸化水素水純化方法も、二級イオン交換樹脂並列方法を採用しており、特許文献７で公開された過酸化水素水の製作方法、特許文献８で公開された過酸化水素水の製作方法、それに特許文献９で公開された過酸化水素水純化方法はいずれも、強酸性陽イオン交換樹脂と強アルカリ性陰イオン交換樹脂とを組み合わせた方法を採用する。但し、樹脂吸着法を採用する生産プロセスと手順が複雑で、樹脂消耗量が大きい。
【０００５】
膜ろ過技術は、今後発展する可能性が高く、膜ろ過プロセスで物質相転移が発生せず、室温の下でも操作できて、操作が簡単で、不純物除去率が高く、製品の純度が高い。但し、膜ろ過操作の圧力が高く、それにろ過膜の耐用年数が短く、頻繁な交換が要るため、コストが高くなる欠点がある。従って、目下殆どの場合では、膜ろ過技術を他の方法と組み合わせて使用している。例えば、特許文献１０で公開された超高純度過酸化水素水の生産方法及び特許文献１１で公開された電子級過酸化水素水の生産方法とプロセスはいずれも、イオン交換樹脂と膜ろ過とを組み合わせて使用しているが、特許文献１２で公開された超高純度過酸化水素水の製造プロセス及び装置は、膜ろ過、活性炭吸着及び多段式精留を組み合わせて使用している。
【０００６】
超臨界抽出方法は、ここ数年来新しくできた分離方法で、この方法は操作が簡単で、大量生産量に適し、エネルギー消費量が低い。例えば、フィンランドのＫｅｍｉｒａｃｈｅｍｉｃａｌ  Ｏｙ社は、超臨界状態の下、二酸化炭素抽出方法で過酸化水素水の中での有機不純物を除去することによって、過酸化水素水を生産する。但し、当該方法の製品純度が低い。
【０００７】
現在、活性炭吸着方法で電子級過酸化水素水を生産する方法に関する公開もあり、例えば、特許文献１３で公開された過酸化水素水精製方法は、活性炭を前処理・洗浄してから吸着する方法である。ただし、活性炭は、過酸化水素水に対して分解役割を果たす。
【先行技術文献】
【特許文献】
【０００８】
【特許文献１】特開平１１−２９２５２１号公報
【特許文献２】特開２０００−１３０５号公報
【特許文献３】米国特許第５６７００２８号明細書
【特許文献４】米国特許第５２９６１０４号明細書
【特許文献５】国際公開第９８／０５４０８５号パンフレット
【特許文献６】米国特許第５８５１５０５号明細書
【特許文献７】特開平１０−２５９００８号公報
【特許文献８】特開平１０−３２４５０６号公報
【特許文献９】特開平１０−２９７９０９号公報
【特許文献１０】中国特許第１１８９３８７Ｃ号明細書
【特許文献１１】中国特許第１００４２０６２５Ｃ号明細書
【特許文献１２】中国特許出願公開第１０１２４４８１０Ａ号明細書
【特許文献１３】特開平１１−３５３０５号公報
【発明の概要】
【発明が解決しようとする課題】
【０００９】
以上に説明したように、従来の超高純度過酸化水素水の生産技術には、低い純度、複雑な操作及び高いエネルギー消費量という問題がある。
【００１０】
本発明は、前記状況に鑑みてなされたものであり、これらの問題を解決することのできる超高純度過酸化水素水の生産方法およびこれに用いる分子篩の製作方法を提供することを課題とする。
【課題を解決するための手段】
【００１１】
本発明は、キレート化吸着剤を搭載するＳＢＡ−１５分子篩で工業級過酸化水素水をろ過してから、限外ろ過膜でろ過して超高純度過酸化水素水を生産する。
【００１２】
本発明の超高純度過酸化水素水の生産方法の手順は次のとおりである。
工業級過酸化水素水を、０．１〜０．１５ＭＰａの圧力下、キレート化吸着剤を備えたＳＢＡ−１５分子篩でろ過してから、限外ろ過膜でろ過して超高純度過酸化水素水を得る。
【００１３】
好ましくは、前記限外ろ過膜の孔径は０．５μｍ以下である。
【００１４】
好ましくは、前記キレート化吸着剤は、分子中に水酸基又はカルボキシル基を有し、例えば、８−ヒドロキシキノリン、シクロペンタンカルボン酸、１，１−ジメチルプロピオン酸の一種又は多種の混合である。
【００１５】
更に好ましくは、前記キレート化吸着剤とＳＢＡ−１５分子篩との質量比が２：１である。
【００１６】
本発明のキレート化吸着剤を備えた分子篩の製作方法は次のとおりである。
ＳＢＡ−１５分子篩を前記キレート化吸着剤の溶液に浸してからろ過し、次に超高純度水に浸して洗浄し、それから１００℃の下で２４時間乾燥する。
【００１７】
この中で、前記キレート化吸着剤が８−ヒドロキシキノリン、シクロペンタンカルボン酸、１，１−ジメチルプロピオン酸の一種又は多種の混合である。
【００１８】
好ましくは、前記キレート化吸着剤の溶液がアルコール溶液である。
【００１９】
更に好ましくは、前記キレート化吸着剤のアルコール溶液の質量濃度が１０〜５０％である。
【００２０】
好ましくは、前記ＳＢＡ−１５分子篩の前記キレート化吸着剤のアルコール溶液での浸し時間が２４〜４８時間である。
【００２１】
従来の技術と比べて、本発明は下記の優位性を有している。
（１）本発明はＳＢＡ−１５分子篩を担体として、キレート化吸着剤を備えた分子篩を製作することによって、ろ過プロセスでの過酸化水素の分解を効果的にコントロールできる。これと同時に、ＳＢＡ−１５分子篩は有機不純物を効果的に吸着でき、さらに吸着剤を搭載しているＳＢＡ−１５分子篩は原料での金属イオンに対して強い吸着能力を有している。
（２）本発明は、第一段階の吸着が大量の不純物を除去でき、これで後段の膜ろ過での膜耐用年数が大きく増えるため、生産コストを削減できる。
【発明の効果】
【００２２】
以上述べたところを総合すれば、本発明は、二段階吸着ろ過方法を採用し、原料での不純物を有効に除去することによって、製品純度が高く、品質が安定的且つコントロール可能になった。それに、吸着法は操作が簡単であり、エネルギー消費量が低いので、大規模な過酸化水素水の生産に適する。
【発明を実施するための形態】
【００２３】
本発明に係る超高純度過酸化水素水の生産方法は、まず過酸化水素水をキレート化吸着剤に通して原料中の有機不純物及び金属不純物を除去してから、ろ過膜を通して固体顆粒及び一部の無機不純物を除去して、最後に取得する製品がＳＥＭＩ  Ｃ８標準の要求に適合し、これと同時に多孔質シリカであるＳＢＡ−１５分子篩が過酸化水素と反応せず、繰り返し使用することができる。当該生産方法は、従来の生産方法での高い不純物、複雑な操作と高いエネルギー消費量の難題を克服した。
【００２４】
この中で、使用されたキレート化吸着剤を備えた分子篩の成分は、ＳＢＡ−１５分子篩及び分子内に水酸基又はカルボキシル基を有するキレート化吸着剤を含む。
【００２５】
本発明で用いるキレート化吸着剤を備えた分子篩の製作方法は次のとおりである。
前記キレート化吸着剤は、溶媒で溶解して浸漬液とし、ＳＢＡ−１５分子篩を前記キレート化吸着剤の浸漬液に浸してからろ過し、次に超高純度水に浸して洗浄し、それから１００℃の下で２４時間乾燥することによってキレート化吸着剤を備えた分子篩を得る。
【００２６】
本発明の超高純度過酸化水素水の生産方法は次のとおりである。
前記キレート化吸着剤を搭載する分子篩で工業級過酸化水素水をろ過してから、限外ろ過膜でろ過して、電子製品の生産に使用できる超高純度過酸化水素水を生産する。
【００２７】
次に、本発明をより良く理解するために、キレート化吸着剤の例として８−ヒドロキシキノリン、シクロペンタンカルボン酸、１，１−ジメチルプロピオン酸を用い、また、前記キレート化吸着剤のアルコール浸漬液を例として、具体的な実施例を通じて本発明の超高純度過酸化水素水の生産方法及びキレート化吸着剤を備えた分子篩の製作方法を詳細に記載する。但し、下記の具体的な実施例は本発明の範囲を制限しない。
【００２８】
この中で、前記８−ヒドロキシキノリン、シクロペンタンカルボン酸、１，１−ジメチルプロピオン酸及びＳＢＡ−１５分子篩は市販されているものを用いることができる。
【実施例１】
【００２９】
５００ｇの８−ヒドロキシキノリンを３０００ｇのアルコール（エタノール）に溶解し、浸漬液を製作した。２５０ｇのＳＢＡ−１５分子篩を室温下で前記浸漬液に２４ｈ浸すことによって、キレート化吸着剤を備えた分子篩を製作した。将来の使用に備え、このキレート化吸着剤を備えた分子篩をカラムに装入してろ過カラムを製作した。
【００３０】
１００ｇの３０質量％工業級過酸化水素水を０．１ＭＰａの圧力下で、前記製作したろ過カラムに通してろ過した後、孔径０．５μｍの限外ろ過膜でろ過した。最後にろ液を収集して、超高純度過酸化水素水を得た。
【００３１】
得られた製品の純度検定結果を後記する表１に示す。
【実施例２】
【００３２】
実施例１を参照する。
５００ｇのシクロペンタンカルボン酸を４０００ｇのアルコールに溶解し、浸漬液を製作した。２５０ｇのＳＢＡ−１５分子篩を室温の下で前記浸漬液に４８ｈ浸漬し、ろ過後のＳＢＡ−１５分子篩を超高純度水に浸漬して洗浄した後、１００℃の下で２４ｈ乾燥することによって、キレート吸着剤を備えたＳＢＡ−１５分子篩を製作した。将来の使用に備え、このキレート化吸着剤を備えた分子篩をカラムに装入してろ過カラムを製作した。
【００３３】
１００ｇの３０質量％工業級過酸化水素水を０．１２ＭＰａの圧力下で、前記製作したろ過カラムに通してろ過した後、孔径０．２μｍの限外ろ過膜でろ過した。ろ液を収集して、超高純度過酸化水素水を得た。
【００３４】
得られた製品の純度検定結果を後記する表１に示す。
【実施例３】
【００３５】
実施例１を参照する。
１，１−ジメチルプロピオン酸をキレート吸着剤とする場合、本発明の超高純度過酸化水素水の生産方法により、同じようにＳＥＭＩ  Ｃ８標準に適合する製品を生産することができる。
【００３６】
５００ｇの１，１−ジメチルプロピオン酸を５０００ｇのアルコールに溶解し、浸漬液を製作した。２５０ｇのＳＢＡ−１５分子篩を室温の下で前記浸漬液に４８ｈ浸漬し、ろ過後のＳＢＡ−１５分子篩を超高純度水に浸漬して洗浄した後、１００℃の下で２４ｈ乾燥することによって、キレート吸着剤を備えたＳＢＡ−１５分子篩を製作した。将来の使用に備え、このキレート化吸着剤を備えた分子篩をカラムに装入してろ過カラムを製作した。
【００３７】
１００ｇの３０質量％工業級過酸化水素水を０．１５ＭＰａの圧力下で、前記製作したろ過カラムに通してろ過した後、孔径０．２μｍの限外ろ過膜でろ過した。ろ液を収集して、超高純度過酸化水素水を得た。
【００３８】
得られた製品の純度検定結果を下記表１に示す。
【００３９】
【表１】
0005771012.tif 000002
【００４０】
【表２】
0005771012.tif 000003
【００４１】
ここで、過酸化水素の含有量は、化学分析法で測定し、有機炭素をＴＯＣ分析機械（ＴＯＣ−ＶＣＰＨ）で分析し、陽イオンをＩＣＰ−ＭＳで分析し、陰イオンをイオン交換クロマトグラフィー（ＩＣ）で分析し、０．５μｍ以上の粉塵粒子をレーザー粒子計数器（ＲＩＯＮ  ４０ＫＡＦ）で分析した。
【００４２】
表１に示すように、本発明の生産方法で生産された超高純度過酸化水素水の製品としての品質は安定で、純度はＳＥＭＩ  Ｃ８標準に適合していることがわかる。また、簡単な操作でこれを得ることができ、高いエネルギー消費量を必要としなかった。
【００４３】
以上、本発明の具体的な実施例に対して詳細に述べたが、これらは、範例に過ぎず、本発明は以上で述べられた具体的な実施例に限定されない。本発明の属する技術分野の当業者に対して、本発明に対する如何なる同等な修正又は代替も本発明の範囲内にある。従って、本発明の趣旨と範囲から外れない前提の下での均等な変換と修正は、全て本発明の範囲内に含まれる。